(57)【要約】【課題】ソフトウェアのプログラムについての知識のないユーザーであっても任意に画面展開可能な表示画面を設計できる自由度の高い画面構築装置を提供すること。【解決手段】表示画面を構築する画面構築装置であって、表示画面を追加する画面追加手段と、表示画面の一部に画面表示操作を行う画面表示操作部を作成する画面表示操作部作成手段と、この画面表示操作部に操作対象画面のアイコンをドラッグすることにより操作対象画面を割り付ける操作対象画面割付手段、とを設けたことを特徴とするもの。【選択図】　　　　図５
2004045061.tif 000002
【特許請求の範囲】
【請求項１】
表示画面を構築する画面構築装置であって、
表示画面を追加する画面追加手段と、
表示画面の一部に画面表示操作を行う画面表示操作部を作成する画面表示操作部作成手段と、
この画面表示操作部に操作対象画面のアイコンをドラッグすることにより操作対象画面を割り付ける操作対象画面割付手段、
とを設けたことを特徴とする画面構築装置。
【請求項２】
画面表示操作部は、ボタンであることを特徴とする請求項１記載の画面構築装置。
【請求項３】
画面表示操作部に操作対象画面として他の表示画面を割り付けることによりその画面を展開表示させることを特徴とする請求項１または請求項２記載の画面構築装置。
【請求項４】
画面表示操作部に操作対象画面として現表示画面を割り付けることにより現表示画面を閉じることを特徴とする請求項１または請求項２記載の画面構築装置。
【請求項５】
表示画面は計器パターンを含むことを特徴とする請求項１から請求項４のいずれかに記載の画面構築装置。
【請求項６】
計器パターンは、デジタルメータ、バーメータ、アナログメータ、トレンドグラフメータ、これら複数種類のメータの組み合わせのいずれかを含むことを特徴とする請求項５に記載の画面構築装置。
【発明の詳細な説明】
【０００１】
【発明の属する技術分野】
本発明は、測定装置などの表示画面の構築に関するものであり、詳しくは、画面展開の組み込みが容易に行える画面構築装置および画面構築方法に関するものである。
【０００２】
【従来の技術】
パソコンの普及に伴ない、従来から温度や圧力や流量や電圧や電流などの各種物理量の測定記録手段として用いられてきた計測レコーダの分野においても、複数の測定チャネルの測定データをパソコンに取り込み、パソコンのグラフィック処理機能を活用して計測レコーダでは実現しきれない種々のデータ処理を補完する多点測定データ処理システムが実用化されている。
【０００３】
ところで、このような多点測定データ処理システムにおいて、例えば複数の測定点の測定データをそれぞれアナログメータ形式で同時に表示している測定画面上で測定データに異常現象が現われた場合には、その異常現象が現われるまでの測定データの推移を折れ線グラフ状のトレンドデータ形式表示画面上で確認したいことがある。
【０００４】
そこで、例えばアナログメータ形式表示画面上にトレンドデータ形式表示画面に切り換えるためのボタンを設けておき、トレンドデータ形式表示画面に切り換えたい場合にそのボタンを選択することが行われている。
【０００５】
【発明が解決しようとする課題】
しかし、従来の多点測定データ処理システムにおいて、アナログメータ形式表示画面からトレンドデータ形式表示画面に展開するためのボタンをアナログメータ形式表示画面に組み込むのにあたっては、ダイアログボックスを表示させて必要なパラメータを入力しなければならず、ユーザーにとって必ずしも画面設計の自由度が高いものとはいえない。また、操作面からも、多少はソフトウェアのプログラムについての知識がないと、操作できないものが多い。
【０００６】
本発明は、このような問題を解決するものであり、その目的は、ソフトウェアのプログラムについての知識のないユーザーであっても任意に画面展開可能な表示画面を設計できる自由度の高い画面構築装置を提供することにある。
【０００７】
【課題を解決するための手段】
このような目的を達成する請求項１の発明は、
表示画面を構築する画面構築装置であって、
表示画面を追加する画面追加手段と、
表示画面の一部に画面表示操作を行う画面表示操作部を作成する画面表示操作部作成手段と、
この画面表示操作部に操作対象画面のアイコンをドラッグすることにより操作対象画面を割り付ける操作対象画面割付手段、
とを設けたことを特徴とする。
【０００８】
請求項２の発明は、請求項１記載の画面構築装置において、
画面表示操作部は、ボタンであることを特徴とする。
【０００９】
請求項３の発明は、請求項１または請求項２記載の画面構築装置において、
画面表示操作部に操作対象画面として他の表示画面を割り付けることによりその画面を展開表示させることを特徴とする。
【００１０】
請求項４の発明は、請求項１または請求項２記載の画面構築装置において、
画面表示操作部に操作対象画面として現表示画面を割り付けることにより現表示画面を閉じることを特徴とする。
【００１１】
請求項５の発明は、請求項１から請求項４のいずれかに記載の画面構築装置において、
表示画面は計器パターンを含むことを特徴とする。
【００１２】
請求項６の発明は、請求項５に記載の画面構築装置において、
計器パターンは、デジタルメータ、バーメータ、アナログメータ、トレンドグラフメータ、これら複数種類のメータの組み合わせのいずれかを含むことを特徴とする。
【００１３】
これらにより、ソフトウェアのプログラムについての知識を持たないユーザーであっても、任意に画面展開可能な表示画面が比較的簡単に構築できる。
【００１４】
【発明の実施の形態】
以下、図面を用いて本発明の実施の形態を説明する。
図１は、本発明に基づく画面構築装置における画面構築用表示画面の具体例図である。表示画面１０は、分割バー１１により左右に分割されていて、左側には計器パターンを編集するための各種データを選択指定するための編集領域１２が設けられ、右側には編集された計器パターンを表示する表示領域１３が設けられている。
【００１５】
図１の画面構築用表示画面を立ち上げた初期状態の表示領域１３には、メイン画面１４を構築できるようにタブを有するメイン画面１４が表示されていて、そのタブには画面名１４ａとアイコン１４ｂが表示されている。図１の例の表示領域１３には、メイン画面１４の他に「サブ画面０１」１５と「サブ画面０２」１６が表示されていて、これら各画面のタブにはそれぞれ画面名１４ａ，１５ａ，１６ａと画面を示すアイコン１４ｂ，１５ｂ，１６ｂが表示されている。
【００１６】
図１の状態で分割バー１１にマウスカーソルを重ねることにより分割バー１１の表示色が変わり、色が変わった状態でマウスを左クリックすると編集領域１２が左側に押し縮められてその分表示領域１３が拡大される。また、表示領域１３が拡大された状態で分割バー１１にマウスカーソルを重ねることにより分割バー１１の表示色が変わり、色が変わった状態でマウスを左クリックすると編集領域１２が右側に押し広げられて元の図１の状態に戻る。
【００１７】
編集領域１２には、それぞれタブで選択できる編集画面１２１とチャネル画面１２２の２つが設けられるとともに、それらの下部領域には表示領域１３におけるマウスカーソルの位置をＸ，Ｙ座標で表示する座標表示部１２３が設けられている。なお、本実施例では、Ｘ，Ｙ座標の原点を表示領域１３の左上角に設定している。
【００１８】
編集画面１２１は、縦方向に「部品」領域１２１ａと「色」領域１２１ｂと「ピクチャ」領域１２１ｃの３つに分割されている。
【００１９】
「部品」領域１２１ａには、表示領域１３に複数測定チャネルの各測定チャネル毎にユーザーが所望の計器パターンを選択指定するためのデジタルメータ、バーメータ、アナログメータ、トレンドグラフメータ、これら複数種類のメータの組み合わせなどに対応した複数のアイコンをはじめ、編集作業用の矢印アイコン、線引き用のアイコン、図形描画用のアイコンなどが設けられている。
【００２０】
「色」領域１２１ｂには、表示領域１３に描画されるテキストや線分や図形などの表示色を選択指定するための各種のツールアイコンが設けられている。
【００２１】
「ピクチャ」領域１２１ｃには、表示領域１３にユーザーが任意に貼り付けるための画像がサムネール表示されている。これらの画像はこのプログラムが格納されるフォルダの一部に格納することで、画面に反映させることができる。
【００２２】
表示画面１０下部には表示領域１３における各部品類の配列関係を調整するためのアイコンが配列されたアレンジメントバー２０と作業の現況を表示するステータスバー３０が表示され、表示画面１０上部には表示領域１３における各部品類の属性を調整するためのアイコンが配列されたアトリビュートバー４０と各部品類に対応したアイコンが配列されたオブジェクトバー５０と各種作業のためのアイコンが配列されたツールバー６０とメニューバー７０が表示されている。なお、アレンジメントバー２０とステータスバー３０とアトリビュートバー４０とオブジェクトバー５０とツールバー６０は、メニューバー７０の表示メニューを開くことによりプルダウン表示されるメニューで個別にオンオフできる。これらのバーをすべて表示させるとその分表示画面１０の上下が狭くなり、すべてのバー表示をオフにすると表示画面１０の上下方向は最大になる。
【００２３】
このような構成において、メニューバー７０の編集メニュー７１を開くことにより、図２に示すように「すべて選択」７１ａ、「プロパティ」７１ｂ、「チャネル詳細設定」７１ｃ、「画面追加」７１ｄ、「画面削除」７１ｅが操作可能状態になる。
【００２４】
ここで、図２はサブ画面０２を選択した状態になっているが、これは初期状態から「画面追加」７１ｄを２回選択して「サブ画面０１」と「サブ画面０２」を追加した状態を示している。この状態で「画面削除」７１ｅを選択すると、選択している「サブ画面０２」が削除される。
【００２５】
また、このようにサブ画面０２を選択した状態で「プロパティ」７１ｂを選択すると、図３に示すようにサブ画面０２のタイトル名を変更入力するためのプロパティダイアログ画面１７が表示される。タイトルボックス１７ａにタイトル名となる文字列を入力してＯＫボタン１７ｂをクリックすることにより、タイトル名の変更入力が行える。
【００２６】
図４は、編集領域１２の編集画面１２１における「部品」領域１２１ａから画面表示操作部として用いるボタンアイコン１８を選択して所望の大きさで表示させた例を示している。なお実際の画面構築にあたっては、ボタンアイコン１８などの画面表示操作部の他に、「部品」領域１２１ａから、デジタルメータ、バーメータ、アナログメータ、トレンドグラフメータ、これら複数種類のメータの組み合わせなどよりなる測定用途に適した形態の計器パターンが所望の大きさで割り付けられるが図示しない。
【００２７】
操作手順としては、まずマウスカーソルを「部品」領域１２１ａに移動させ、ボタンのアイコンをマウスの左クリックで選択する。これにより、ボタンのアイコンの外周が反転して選択状態になり、この状態は他のアイコンを左クリックで選択するまで保持される。
【００２８】
マウスカーソルを編集領域１２から表示領域１３に移動させると、マウスカーソルの表示領域１３における現在位置は、座標表示部１２３にＸ，Ｙ座標で表示される。所望の位置で左クリックしながら対角線方向にドラッグしてクリックを解除することにより、対角線の長さに対応した大きさのボタンパターン１８が外周にハンドルを付けた状態で表示される。なお、このクリック解除と同時に、「部品」領域１２１ａにおけるボタンのアイコン選択状態も解除される。ボタンパターン１８の大きさは、外周のハンドルをドラッグすることによって調整する。このボタンパターン１８は、通常のコピー機能で必要数コピーペーストできる。
【００２９】
図４のようにボタンパターン１８の外周にハンドルを表示させた状態でメニューバー７０の編集メニューから「プロパティ」を選択すると、ボタン１８の名称を変更入力するためのプロパティダイアログ画面１９が表示される。文字列ボックス１９ａにタイトル名となる文字列を入力してＯＫボタン１９ｂをクリックすることにより、ボタン１８の名前の変更入力が行える。
【００３０】
図示しない計器パターンも、ボタンパターン１８と同様の手順で編集領域１２から表示領域１３に割り付けることができる。
【００３１】
次に、図５を用いて画面展開の構築について説明する。
図５は「サブ画面０２」１６の構築画面例であり、「メイン画面」１４と「サブ画面０１」１５に展開する例を示している。
【００３２】
図５に示す「サブ画面０２」１６の構築画面において、図４の手順に従って３個のボタンパターン１８ａ〜１８ｃを表示させて所望の大きさに調整し、ボタンパターン１８ａの名前をメイン画面を表わす「メイン」とし、ボタンパターン１８ｂの名前をサブ画面０１を表わす「サブ０１」とし、ボタンパターン１８ｃの名前をサブ画面０２を表わす「サブ０２」とする。
【００３３】
次に、これら３個のボタンパターン１８ａ〜１８ｃに、それぞれ対応する画面を示すアイコン１４ｂ，１５ｂ，１６ｂをドラッグしてドロップする。これにより、各ボタンパターン１８ａ〜１８ｃには、それぞれ「メイン画面」１４，「サブ画面０１」１５，「サブ画面０２」１６が関連付けられる。このようにして画面が関連付けされたボタンパターン１８ａを選択することにより「メイン画面」１４が表示され、ボタンパターン１８ｂを選択することにより「サブ画面０１」１５が表示される。そして、ボタンパターン１８ｃを選択することにより現在表示している「サブ画面０２」１６が閉じられる。
【００３４】
これら図２から図５までの画面構築にあたっては、ボタンパターン１８に限らず計器パターンの割り付けも含めて、ソフトウェアプログラムの知識を持たないユーザーであっても、画面展開可能な表示画面を簡単に構築できる。
【００３５】
図６は、「メイン画面」１４と「サブ画面０１」１５と「サブ画面０２」１６相互間の画面展開説明図である。「メイン画面」１４と「サブ画面０１」１５と「サブ画面０２」１６のそれぞれに図５と同様に３個のボタン１８ａ〜１８ｃを設け、各ボタン１８ａ〜１８ｃにそれぞれの名前に対応する画面を関連付けている。
【００３６】
図６の「メイン画面」１４のボタン１８ａを選択することにより「サブ画面０１」１５が表示され、ボタンパターン１８ｂを選択することにより「サブ画面０２」１６が表示され、ボタンパターン１８ｃを選択することにより現在表示している「メイン画面」１４を含む全画面が閉じられる。
【００３７】
図６の「サブ画面０１」１５のボタン１８ａを選択することにより「メイン画面」１４が表示され、ボタンパターン１８ｂを選択することにより「サブ画面０２」１６が表示され、ボタンパターン１８ｃを選択することにより現在表示している「サブ画面０１」１５が閉じられる。
【００３８】
図６の構成によれば、「メイン画面」１４と「サブ画面０１」１５と「サブ画面０２」１６の相互間で画面展開および画面閉鎖が行える。
【００３９】
上記実施例では測定装置における画面が３つの例を説明したが、４画面以上についても同様に適用できる。
【００４０】
また、これら各画面において、すべての画面に展開しなければならないものではなく、必要な画面だけに関連付ければよい。
【００４１】
また、測定装置に限るものではなく、同様な画面展開構成を必要とする他の表示装置の画面構築にも適用可能である。
【００４２】
【発明の効果】
以上説明したように、本発明によれば、ソフトウェアのプログラムについての知識のないユーザーであっても任意に表示画面を設計できる自由度の高い画面構築装置が実現できる。
【図面の簡単な説明】
【図１】本発明に基づく画面構築装置における画面構築用表示画面の具体例図である。
【図２】メニューバー７０における編集メニュー７１の説明図である。
【図３】タイトル名を変更入力するためのプロパティダイアログ画面１７の説明図である。
【図４】画面表示操作部として用いるボタンアイコン１８の説明図である。
【図５】画面展開構築についての説明図である。
【図６】複数画面相互間の画面展開説明図である。
【符号の説明】
１０　表示画面
１１　分割バー
１２　編集領域
１２１　編集画面
１２１ａ　部品領域
１２１ｂ　色領域
１２１ｃ　ピクチャ領域
１２２　チャネル画面
１２２ａ　設定プレート領域
１２２ｂ　消去プレート領域
１２３　座標表示部
１３　表示領域
１４　メイン画面
１５　サブ画面０１
１６　サブ画面０２
１７，１９　プロパティダイアログ画面
１８　ボタンパターン
【図１】
2004045061.tif 000003
【図２】
2004045061.tif 000004
【図３】
2004045061.tif 000005
【図４】
2004045061.tif 000006
【図５】
2004045061.tif 000007
【図６】
2004045061.tif 000008